(57)【要約】【課題】  室内空間を狭めることなく映像の表示サイズを大きくしてその映像を見易くする映像表示システムを提供する。【解決手段】  前席シート１Ａ及び後席シート１Ｂが設置された自動車の車内空間において映像を表示する映像表示システムであって、映像を映すための映像光を投射する前座シート１Ａの下に配置された投光器１００と、投光器１００から投射された映像光を反射するミラー１０と、前席シート１Ａに取り付けられ、ミラー１０により反射された映像光を受けて映像を表示するスクリーン２０とを備える。【選択図】        図１
2005073174.tif 000002
【特許請求の範囲】
【請求項１】
第１の座席及び第２の座席が設置された空間内において映像を表示する映像表示システムであって、
映像を映すための映像光を投射する前記第１の座席の下に配置された投光手段と、
前記投光手段から投射された映像光を反射する反射手段と、
前記第１又は第２の座席に取り付けられ、前記反射手段により反射された映像光を受けて映像を表示するスクリーンと
を備えることを特徴とする映像表示システム。
【請求項２】
前記映像表示システムは、さらに、
ユーザによる操作に応じて、前記投光手段と前記スクリーンとの間の光路長を変化させるように前記投光手段を移動させる移動手段
を備えることを特徴とする請求項１記載の映像表示システム。
【請求項３】
前記スクリーンが取り付けられた前記第１の座席又は第２の座席は移動自在に設置され、
前記映像表示システムは、さらに、
前記第１の座席又は第２の座席の位置を検出する座席位置検出手段と、
前記座席位置検出手段による検出結果に基づき、前記投光手段と前記スクリーンとの間の光路長を一定に保つように前記投光手段を移動させる光路長固定手段と
を備えることを特徴とする請求項１又は２記載の映像表示システム。
【請求項４】
前記スクリーンが取り付けられた前記第１の座席又は第２の座席は移動自在に設置され、
前記映像表示システムは、さらに、
前記第１の座席又は第２の座席に取り付けられて前記投光手段を保持する保持手段
を備えることを特徴とする請求項１又は２記載の映像表示システム。
【請求項５】
前記投光手段は、
前記投光手段に対向する部位を開閉自在に構成された前記第１の座席の下に配置されることを特徴とする請求項１〜４の何れか１項に記載の映像表示システム。
【請求項６】
前記スクリーンは、背面に映像光を受けて表面に映像を表示する
ことを特徴とする請求項１〜５の何れか１項に記載の映像表示システム。
【請求項７】
前記映像表示システムは、
前記第１の座席を前席とし、前記第２の座席を後席とする自動車の車内空間に配設される
ことを特徴とする請求項１〜６の何れか１項に記載の映像表示システム。
【請求項８】
第１の座席及び第２の座席が設置された空間内において映像を表示する映像表示方法であって、
前記第１の座席の下に配置された投光器が映像を映すための映像光を投射する投射ステップと、
前記投光器から投射された映像光を反射する反射ステップと、
前記第１又は第２の座席に取り付けられたスクリーンが、前記反射ステップで反射された映像光を受けて映像を表示する表示ステップと
を含むことを特徴とする映像表示方法。
【請求項９】
前記映像表示方法は、さらに、
ユーザによる操作に応じて、前記投光器と前記スクリーンとの間の光路長を変化させるように前記投光器を移動させる移動ステップ
を含むことを特徴とする請求項８記載の映像表示方法。
【発明の詳細な説明】
【技術分野】
【０００１】
本発明は、映画やテレビ放送などの映像を表示する例えばプロジェクタなどを用いた映像表示システムに関し、特に、車載用の映像表示システムに関する。
【背景技術】
【０００２】
近年、ＤＶＤ（Digital Versatile Disk）やＣＤ（Compact Disc）などの多彩なメディアによる映像や音楽を、自動車のリアシートで楽しめるＲＳＥ（Rear Seat Entertainment）の普及に伴って、そのＲＳＥでの使用を目的とする車室内用の映像表示システムの普及が進んでいる。
【０００３】
このような映像表示システムには２つの種類がある。その種類の１つは、ディスプレイに画像源を直接観視可能なように表示させる標準的な直視型であり（例えば、特許文献１参照。）、他の１つは、比較的小さな表示体の画像源を、レンズなどの光学系処理により拡大投射することで、スクリーンに表示させる投射型である（例えば、特許文献２参照。）。
【０００４】
図１２は、上記特許文献１の映像表示システムを説明するための説明図である。
この特許文献１の映像表示システムは、直視型であって、直接観視可能なように画像源を表示するディスプレイ装置９０３を備えている。
【０００５】
そして、このディスプレイ装置９０３は、液晶ディスプレイを具備し、その液晶ディスプレイを後方に向けた状態で、自動車の前席シート９０４のヘッドレスト部９０２の後側に設置されている。また、ヘッドレスト部９０２の前側にはクッション９０１が設置されている。
後席シートに着座した乗員は、ディスプレイ装置９０３の液晶ディスプレイに表示される映像を直視することでその映像を鑑賞する。
【０００６】
一方、上記特許文献２の映像表示システムは、投射型であって、映像を映し出すための映像光を投射する投光器（一般にプロジェクタと呼ばれる）を備えている。
この投光器は、前席シートの背もたれ部分に埋設され、投光器から投射された映像光は反射鏡によって反射されてスクリーン上に映像として映し出される。
【特許文献１】特開平３−１０４７６号公報
【特許文献２】特表２００１−５０６７７２号公報（第２１図）
【発明の開示】
【発明が解決しようとする課題】
【０００７】
しかしながら、特許文献１の映像表示システムでは、映像の表示サイズがヘッドレスト部９０２のサイズに制限されて小さく、映像が見難くなってしまうという問題がある。また、表示サイズをヘッドレスト部９０２のサイズよりも無理に大きくすると、ディスプレイ装置９０３の重量が大きくなるため、衝突時における安全性が損なわれてしまう。
【０００８】
さらに、特許文献２の映像表示システムでは、投光器を前席シートの背もたれ部分に埋め込むために、背もたれ部分を厚くして投光器を設置するだけのスペースを確保する必要があり、その結果、車内空間が狭くなってしまうという問題がある。また、投光器の光源ランプの交換などのメンテナンスも困難である。
【０００９】
そこで、本発明は、かかる問題点に鑑みてなされたものであって、室内空間を狭めることなく映像の表示サイズを大きくしてその映像を見易くする映像表示システムを提供することを目的とする。
【課題を解決するための手段】
【００１０】
上記目的を達成するために、本発明に係る映像表示システムは、第１の座席及び第２の座席が設置された空間内において映像を表示する映像表示システムであって、映像を映すための映像光を投射する前記第１の座席の下に配置された投光手段と、前記投光手段から投射された映像光を反射する反射手段と、前記第１又は第２の座席に取り付けられ、前記反射手段により反射された映像光を受けて映像を表示するスクリーンとを備えることを特徴とする。例えば、前記映像表示システムは、前記第１の座席を前席とし、前記第２の座席を後席とする自動車の車内空間に配設される。
【００１１】
これにより、投光手段から反射手段を介してスクリーンに映像光が投射されて、そのスクリーンに映像が表示されるため、スクリーンの大きさに応じて、映像の表示サイズを大きくしてその映像を見易くすることができる。さらに、スクリーンはそのサイズを大きくしても比較的軽量であるため、安全性を損なうことなく映像の表示サイズを大きくすることができる。また、投光手段が第１の座席の下に配置されていることにより、第１の座席及び第２の座席が設置された空間、つまり車内空間を狭めてしまうのを防ぐことができ、その車内空間を有効に利用することができる。
【００１２】
また、前記映像表示システムは、さらに、ユーザによる操作に応じて、前記投光手段と前記スクリーンとの間の光路長を変化させるように前記投光手段を移動させる移動手段を備えることを特徴としても良い。
【００１３】
これにより、ユーザによる移動手段の操作に応じて、投光手段が移動して、投光手段とスクリーンとの間の光路長が変化することにより、ユーザはスクリーンに映し出される映像のサイズを任意に設定することができる。
【００１４】
また、前記スクリーンが取り付けられた前記第１の座席又は第２の座席は移動自在に設置され、前記映像表示システムは、さらに、前記第１の座席又は第２の座席の位置を検出する座席位置検出手段と、前記座席位置検出手段による検出結果に基づき、前記投光手段と前記スクリーンとの間の光路長を一定に保つように前記投光手段を移動させる光路長固定手段とを備えることを特徴としても良い。又は、前記スクリーンが取り付けられた前記第１の座席又は第２の座席は移動自在に設置され、前記映像表示システムは、さらに、前記第１の座席又は第２の座席に取り付けられて前記投光手段を保持する保持手段を備えることを特徴としても良い。
【００１５】
これにより、スクリーンが取り付けられた第１の座席又は第２の座席が移動されても、投光手段とスクリーンとの間の光路長が一定に保たれるため、スクリーンに映し出される映像のサイズを一定に保つことができる。
【００１６】
さらに、前記投光手段は、前記投光手段に対向する部位を開閉自在に構成された前記第１の座席の下に配置されることを特徴としても良い。
【００１７】
これにより、第１の座席の一部を開くとその開口部から投光手段を覗き込むことができ、その開口部を介して投光手段を容易にメンテナンスすることができる。
なお、本発明は、映像を表示する映像表示方法としても実現することができる。
【発明の効果】
【００１８】
本発明の映像表示システムは、安全性を損なうことなく映像の表示サイズを大きくしてその映像を見易くすることができる。また、投光手段が第１の座席の下に配置されていることにより、第１の座席及び第２の座席が設置された空間を狭めてしまうのを防ぐことができ、その空間を有効に利用することができる。
【発明を実施するための最良の形態】
【００１９】
以下、本発明の実施の形態における映像表示システムについて図面を参照しながら説明する。
図１は、本発明の実施の形態における映像表示システムの配置構成を示す構成図である。
この映像表示システムは、車内空間を狭めることなく映像の表示サイズを大きくしてその映像を見易くするものであって、映像を映し出すための映像光を投射する投光器１００と、投光器１００を前後方向に移動させる移動装置２００と、その移動装置２００を遠隔から操作するためのリモコン３０と、前席シート１Ａの位置を検出するシート位置検出器４０と、投光器１００から投射された映像光を反射するミラー１０と、ミラー１０によって反射された映像光を受けて映像を表示するスクリーン２０とを備えている。
【００２０】
図２は、投光器１００及びミラー１０並びにスクリーン２０の配置状態を示す配置図である。
この図２に示すように、ミラー１０は支柱１ｐを介して前席シート１Ａの後方下部に取着され、スクリーン２０は、固定具２ｐを介して前席シート１Ａの後方上部に取着されている。
【００２１】
また、移動装置２００は、前席シート１Ａの下側にある床面に取り付けられたレール３上に沿って前後方向に走行し、投光器１００は、前席シート１Ａの下で、映像光が投射される投射口を後方に向けた状態で移動装置２００に載置されている。
つまり、ミラー１０及びスクリーン２０は前席シート１Ａの前後移動に伴って移動し、投光器１００は前席シート１Ａとは独立して移動する。
【００２２】
そして、投光器１００から投射された映像光は、まずミラー１０によって反射されてスクリーン２０の背面側に投射される。
【００２３】
ここで、スクリーン２０は、所謂リアプロジェクションスクリーンと称されるものであって、背面から照射された映像光を前面に映像として表示する。これにより、後席シート１Ｂに着座する乗員（ユーザ）はスクリーン２０に表示される映像を観賞することができる。
【００２４】
シート位置検出器４０は、前席シート１Ａの前後方向の位置を検出して、その検出結果をシート位置信号として移動装置２００に出力する。
【００２５】
リモコン３０は、ユーザからの操作に応じて、スクリーン２０に映し出される映像の表示サイズを指示する内容のサイズ指示信号を、例えば赤外線による通信媒体を介して移動装置２００に対して出力する。
【００２６】
投光器１００は、自動車に搭載された例えばＤＶＤプレーヤやＴＶチューナなどの機器から映画やテレビ放送の映像を示す映像信号を取得して、その映像を映し出すための映像光を投射する。
【００２７】
図３は、投光器１００の構成を示すブロック図である。
この投光器１００は、光源１０１と、照明光学系部１０２と、投射画像形成部１０３と、投射光学系部１０４と、映像入力部１０６と、投射レンズ部１０５とを備えている。
【００２８】
映像入力部１０６は、上記映像信号を取得してその映像信号を投射画像形成部１０３に出力する。
【００２９】
照明光学系部１０２は、光源１０１から出力された光を、映像光に適した特性の光に変換して投射画像形成部１０３に出力する。
【００３０】
投射画像形成部１０３は、透過型液晶パネルを備えており、映像入力部１０６から出力された映像信号に応じた画像をその透過型液晶パネルに表示させて、その画像が表示された透過型液晶パネルに、照明光学系部１０２から出力された光を透過させることで映像光を生成する。そして投射画像形成部１０３は、このように生成された映像光を投射光学系部１０４に出力する。
【００３１】
投射光学系部１０４は、投射画像形成部１０３から出力された映像光を光学的に処理して投射レンズ部１０５に出力する。
投射レンズ部１０５は、複数のレンズを組み合わせて構成されており、焦点距離を調整したり、スクリーン上に映し出される映像の表示サイズを光学的に変化させる。
【００３２】
移動装置２００は、投光器１００を前後方向に移動させることにより、投光器１００とスクリーン２０との間の距離を変化させて、スクリーン２０に映し出される映像の表示サイズを変更させる。例えば、移動装置２００は、投光器１００を前方に移動させることで、投光器１００とスクリーン２０との間の距離を短くして、映像の表示サイズを小さくしたり、投光器１００を後方に移動させることで、投光器１００とスクリーン２０との間の距離を長くして、映像の表示サイズを大きくしたりする。
【００３３】
図４は、移動装置２００の外観を示す外観図である。
移動装置２００は、断面略コ字状の筐体２１０と、筐体２１０の両側部にそれぞれ２つずつ回転自在に取り付けられた車輪２０１とを備えている。そして、投光器１００はこの筐体２１０の凹部に載置される。
【００３４】
車輪２０１はレール３上に配置されて、筐体２１０内部に配設されたモータの駆動により回転する。
【００３５】
図５は、レール３上に配置された移動装置２００の側面図である。
この図５に示すように、車輪２０１はその円周に沿って外側に突出する複数の凸部を備えて、これらの凸部がレール３上に形成された凹部に嵌合するように回転する。
これにより、移動装置２００はレール３上を滑ることなく移動することができる。
【００３６】
図６は、移動装置２００の筐体２１０内部の構成を示す構成図である。
このような移動装置２００の筐体２１０内部には、上述のモータ２２５と、モータ２２５を制御する制御部２２０とが備えられている。
【００３７】
制御部２２０は、サイズ受信部２２１と、シート位置受信部２２４と、モータ制御部２２２と、記憶部２２３とを備えている。
サイズ受信部２２１は、リモコン３０から送信されるサイズ指示信号を受信して、そのサイズ指示信号をモータ制御部２２２に対して出力する。
【００３８】
シート位置受信部２２４は、シート位置検出器４０からシート位置信号を取得して、これをモータ制御部２２２に対して出力する。
記憶部２２３は、投光器１００の位置を記憶するための領域を有する。
【００３９】
モータ制御部２２２は、投光器１００による映像光の投射が行われている間、常時、シート位置受信部２２４からシート位置信号を取得して、そのシート位置信号により示される前席シート１Ａの位置が変化したか否かを判別する。そして、前席シート１Ａの位置が変化したと判別したときには、モータ制御部２２２は、記憶部２２３に予め記憶されている投光器１００の位置を読み出し、前席シート１Ａの位置の変化前におけるスクリーン２０と投光器１００との間の距離が、前席シート１Ａの位置の変化後におけるスクリーン２０と投光器１００との間の距離と等しくなるように、モータ２２５を駆動させて車輪２０１を回転させることにより投光器１００を移動させる。投光器１００の移動後、モータ制御部２２２は、記憶部２２３に記憶されている投光器１００の位置を、移動後の位置に更新させる。
【００４０】
これにより、前席シート１Ａがそこに着座する乗員により前後方向に移動されても、その移動に応じて投光器１００も移動するため、スクリーン２０に映し出される映像の表示サイズを一定の大きさに保つことができる。
【００４１】
また、モータ制御部２２２は、サイズ受信部２２１からサイズ指示信号を取得すると、そのサイズ指示信号に示される映像の表示サイズを特定するとともに、記憶部２２３に予め記憶されている投光器１００の位置を読み出す。そして、モータ制御部２２２は、その読み出した投光器１００の位置に基づいて、特定した表示サイズとするために必要な投光器１００の移動方向及び距離を導出する。次にモータ制御部２２２は、その導出した移動方向及び距離に投光器１００が移動するようにモータ２２５を駆動させて車輪２０１を回転させる。投光器１００の移動後、モータ制御部２２２は、記憶部２２３に記憶されている投光器１００の位置を、移動後の位置に更新させる。
【００４２】
これにより、スクリーン２０に映し出される映像の表示サイズを、リモコン３０の操作に基づいて簡単に調整することができる。最適とされる映像の表示サイズは、例えば、ユーザの嗜好や映像の内容などによって異なるが、本実施の形態では、容易にその表示サイズを最適に設定することができるのである。また、投光器１００及び移動装置２００を前席シート１Ａの下に配置したことにより、投光器１００を比較的長い距離で移動させることができ、画像サイズの設定範囲を広くすることができる。
【００４３】
なお、本システムの起動時には、記憶部２２３には予め定められた投光器１００の位置が初期設定位置として記憶されており、その位置に投光器１００及び移動装置２００があるものとする。したがって、記憶部２２３には、投光器１００の現在位置が記憶されていることとなる。
【００４４】
図７は、モータ制御部２２２が映像の表示サイズを変更するときの動作を示すフロー図である。
まず、モータ制御部２２２は、リモコン３０からサイズ受信部２２１を介してサイズ指示信号を取得し（ステップＳ１００）、そのサイズ指示信号により示される映像の表示サイズを特定する（ステップＳ１０２）。
【００４５】
次に、モータ制御部２２２は、記憶部２２３に記憶されている投光器１００の位置、つまり投光器１００の現在位置を読み出す（ステップＳ１０４）。
【００４６】
そして、モータ制御部２２２は、ステップＳ１０４で読み出した投光器１００の位置に基づき、スクリーン２０に映し出される映像の表示サイズが、ステップ１０２で特定した表示サイズとなるために必要な投光器１００の移動方向及び距離を導出する（ステップＳ１０６）。また、ここでモータ制御部２２２は、上記移動方向及び距離の代わりに移動装置２００の車輪２０１の回転方向及び回転数を導出しても良い。
【００４７】
その後、モータ制御部２２２は、ステップＳ１０６で導出した移行方向及び移動距離に投光器１００が移動するように、又は移動装置２００の車輪２０１がステップＳ１０６で導出した回転方向及び回転数で回転するようにモータ２２５を駆動させる（ステップＳ１０８）。
そして、モータ制御部２２２は、記憶部２２３に記憶されている投光器１００の位置を移動後の位置に更新する（ステップＳ１１０）。
【００４８】
ここで、投光器１００からスクリーン２０に対する焦点距離は、前席シート１Ａや投光器１００の移動により変化するが、この焦点距離は、投光器１００の投射レンズ部１０５において光学的に調整される。この調整方法については、現在市販されているプロジェクタにおいて行われている方法と同様である。
【００４９】
このように、本実施の形態では、投光器１００を前席シート１Ａの下に配置して、ミラー１０による反射を利用して、投光器１００からの映像光を前席シート１Ａに取り付けられたスクリーン２０に当てて、そのスクリーン２０に映像を表示させることによって、車内空間を狭めることなく映像を大きく表示して、ユーザに対して映像を見易くすることができる。したがって、後席シート１Ｂに着座するユーザは、映像を室内環境において大画面で楽しむことができる。
【００５０】
また、直視型の映像表示システムのように、重いディスプレイ装置を比較的高い部位に配設することがなく、安全性を向上することができる。
また、本実施の形態において、スクリーン２０の表示面に柔軟な材質、例えば軟質塩化ビニルに拡散剤を混合したものなどを用いれば、衝突などの事故時に頭部を強打しても大きな怪我に至らず、安全性の向上をさらに図ることができる。
【００５１】
ここで、本実施の形態における投光器１００のメンテナンスについて説明する。
図８は、投光器１００のメンテナンスについて説明するための説明図である。
前席シート１Ａの座部２は一辺を軸に回動して、開閉自在に構成されている。つまり、ユーザは、座部２を開くことにより、その開口部から床に設置された投光器１００を覗き込むことができ、その状態で投光器１００に対して、光源ランプの交換などのメンテナンスを簡単に行うことができる。また、座部２を開いて投光器１００を車外に簡単に持ち出すことができる。
【００５２】
このように本実施の形態では、投光器１００を前席シート１Ａの下に配置するが、その前席シート１Ａの座部２を開閉自在にすることにより、専門の取外し技術や工具を用いることなく簡単に投光器１００に対してメンテナンスを行うことができる。
【００５３】
（変形例）
次に、上記本実施の形態における映像表示システムの変形例について説明する。
まず、投光器１００及び移動装置２００が設置される位置に関する変形例を説明する。
【００５４】
図９は、本変形例に係る映像表示システムの配置構成を示す構成図である。
投光器１００及び移動装置２００は、投射口を前方に向けた状態で後席シート１Ｂの下に配置される。そして、投光器１００から前方に向かって投射された映像光は、ミラー１０に反射されてスクリーン２０の背面に照射される。
【００５５】
このように、投光器１００及び移動装置２００を後席シート１Ｂの下に配置しても、上記実施の形態と同様、車内空間を狭めることなく映像の表示サイズを大きくして、後席シート１Ｂに着座する乗員に対して、その映像を見易くすることができる。
【００５６】
次に、ミラーの数に関する変形例を説明する。
図１０は、本変形例に係る映像表示システムの配置構成を示す構成図である。
本変形例に係る映像表示システムは、図１に示す映像表示システムに含まれる構成要素の他にさらにミラー１０ａを備えている。
【００５７】
このミラー１０ａは、前席シート１Ａの背面に取着されており、ミラー１０によって反射された映像光をさらに反射してスクリーン２０の背面に照射する。
つまり、本変形例に係る映像表示システムでは、２枚のミラーを備えて、投光器１００から投射された映像光をこれら２枚のミラーで反射させてスクリーン２０に当てる。
【００５８】
このように、２枚のミラーを備えることによって、映像光の光路の設定が容易となるため、映像表示システムの配置設計の自由度を増すことができる。
【００５９】
次に、投光器１００及び移動装置２００の配設方法に関する変形例を説明する。
図１１は、本変形例に係る投光器１００及び移動装置２００の配置状態を示す斜視図である。
本変形例に係る投光器１００及び移動装置２００は、保持部材８００を用いて前席シート１Ａの座部の裏面側に保持されている。
【００６０】
保持部材８００は２つの板片８１０からなる。板片８１０は、略長方形の金属板の長手方向に沿った２つの側部を互いに反対方向に垂直に折り曲げて形成されており、一方の側部にはレール３が取り付けられ、他方の側部にはネジ止め用の孔が形成されている。
【００６１】
このような保持部材８００の２つの板片８１０は、上記孔にネジを通して前席シート１Ａの座部の裏面側に螺着される。その結果、２つの板片８１０は、投光器１００及び移動装置２００を抱え込むような形で座席シート１Ａに取り付けられる。
そして、投光器１００を載せた移動装置２００は、保持部材８００に取り付けられたレール３上に沿って移動する。
【００６２】
このように本変形例では、投光器１００及び移動装置２００を前席シート１００に保持させていることによって、前席シート１Ａが前後方向に移動されても、投光器１００は前席シート１Ａに付随して前席シート１Ａと同じように移動して、投光器１００とミラー１０とスクリーン２０との相対的な位置関係は変化することがなく、スクリーン２０に映し出される映像の表示サイズを一定に保つことができる。その結果、本変形例では、移動装置２００の制御部２２０は前席シート１Ａの移動に応じた制御を行う必要が無く、制御部２２０の構成を簡単にすることができる。
【００６３】
以上、本発明に係る映像表示システムについて、本実施の形態及び変形例を用いて説明したが、本発明は、これらに限定されるものではない。
【００６４】
例えば、本実施の形態及び変形例では、反射ミラーを１枚又は２枚備えたが、３枚以上備えても良い。この場合には、映像光の光路の設定をさらに容易にして、映像表示システムの配置設計の自由度をさらに増すことができる。
【００６５】
また、本実施の形態及び変形例では、投光器１００に外部からの映像信号を取得させたが、投光器１００に映像信号を生成させても良い。この場合、投光器１００は、例えばＤＶＤプレーヤやＴＶチューナなどの機能を有する。
【００６６】
さらに、本実施の形態及び変形例では、移動装置２００を前後方向に移動可能なように構成したが、左右方向又は斜め方向に移動可能なように構成しても良い。この場合には、ミラー１０は、移動装置２００の移動に応じて向きを変えて、投光器１００から投射される映像光をスクリーン２０の背面に向けて反射する。
【００６７】
さらに、本実施の形態及び変形例では、ミラー１０を前席シート１Ａに固定させたが、自動車内の床面に固定させても良い。
この場合には、前席シート１Ａの前後方向の移動に応じて、ミラー１０から見た投光器１００とスクリーン２０との間の角度が変わるため、ミラー１０は、前席シート１Ａの前後方向の移動に応じて向きを変えて、投光器１００から投射された映像光をスクリーン２０に対して反射する。
【００６８】
さらに、本実施の形態及び変形例では、本システムを自動車内に配設したが、列車やバスや飛行機の内部に配設しても良い。このような場合にも、車内や機内を狭めることなく映像の表示サイズを大きくして映像を見易くすることができる。
【００６９】
また、本実施の形態及び変形例では、移動装置２００にモータ２２５及び車輪２０１を備えて前後に移動させたが、本発明はこれに限定されるものではなく、例えばスライドさせるなどの他の手段により移動装置２００を前後に移動させても良い。
【００７０】
さらに、本実施の形態及び変形例では、リモコン３０から赤外線による通信媒体を介してサイズ指示信号を出力させたが、無線有線を問わず他の通信媒体を介して出力させても良いことは言うまでもない。
【００７１】
また、本実施の形態及び変形例では、投射画像形成部１０３に透過型液晶パネルを備えたが、透過型液晶パネルの変わりに、反射型液晶パネルやＤＭＤ（Digital Micromirror Device）やＣＲＴなどを備えても良い。上述のＤＭＤは可動性を有する超小型の鏡の集合体であって、このＤＭＤに光が当てられると個々の鏡の反射光に応じて画像源が形成される。そしてこのようなＤＭＤが備えられた投光器は、ＤＬＰ（「テキサス  インスツルメンツ  インコーポレーテッド」の登録商標）方式のプロジェクタとして構成される。
【産業上の利用可能性】
【００７２】
本発明にかかる映像表示システムは、室内空間を狭めることなく映像の表示サイズを大きくすることで、映像を見易くするという作用効果を有し、例えば自動車などの車内空間で映画やテレビ放送などの映像を後席シートの乗員に表示するＲＳＥなどとして有用である。
【図面の簡単な説明】
【００７３】
【図１】本発明の実施の形態における映像表示システムの配置構成を示す構成図である。
【図２】同上の投光器及び反射ミラー並びにスクリーンの配置状態を示す配置図である。
【図３】同上の投光器の構成を示すブロック図である
【図４】同上の移動装置の外観を示す外観図である。
【図５】同上のレール上に配置された移動装置の側面図である。
【図６】同上の移動装置の筐体内部の構成を示す構成図である。
【図７】同上のモータ制御部が映像の表示サイズを変更するときの動作を示すフロー図である。
【図８】同上の投光器のメンテナンスについて説明するための説明図である。
【図９】同上の変形例に係る映像表示システムの配置構成を示す構成図である。
【図１０】同上の他の変形例に係る映像表示システムの配置構成を示す構成図である。
【図１１】同上のさらに他の変形例にかかる投光器及び移動装置の配置状態を示す斜視図である。
【図１２】従来例の映像表示システムを説明するための説明図である。
【符号の説明】
【００７４】
１Ａ  前席シート
１Ｂ  後席シート
１０  ミラー
２０  スクリーン
３０  リモコン
４０  シート位置検出器
１００  投光器
２００  移動装置
【図１】
2005073174.tif 000003
【図２】
2005073174.tif 000004
【図３】
2005073174.tif 000005
【図４】
2005073174.tif 000006
【図５】
2005073174.tif 000007
【図６】
2005073174.tif 000008
【図７】
2005073174.tif 000009
【図８】
2005073174.tif 000010
【図９】
2005073174.tif 000011
【図１０】
2005073174.tif 000012
【図１１】
2005073174.tif 000013
【図１２】
2005073174.tif 000014